(57)【要約】      （修正有）【課題】毛髪や皮膚を傷めてしまうのを抑制することのできる加熱送風装置を得る。【解決手段】加熱送風装置１は、ハウジング３内に設けられて両側部に吸込口４ａと吹出口４ｂとを備えた送風流路４と、送風流路４の上流側に配置され吸込口４ａから空気を導入して吹出口４ｂから吐出させる送風部５と、送風部５の下流側に設けられ送風を加熱する加熱部６と、を備えている。また、加熱送風装置１は、酸性成分を含んだミストを生成するミスト生成部１０と、ミスト生成部１０で生成されたミストの酸性度を検知する検知部１１と、ミスト生成部１０で生成されるミストの生成量を制御する制御部８と、を備えている。そして、制御部８が、検知部１１により検知されたミストの酸性度に応じてミスト生成部１０のミストの生成量を制御している。【選択図】図１
2013063238.tif 000002
【特許請求の範囲】
【請求項１】
ハウジング内に設けられて両側部に吸込口と吹出口とを備えた送風流路と、
前記送風流路の上流側に配置され前記吸込口から空気を導入して前記吹出口から吐出させる送風部と、
前記送風部の下流側に設けられ送風を加熱する加熱部と、
酸性成分を含んだミストを生成するミスト生成部と、
前記ミスト生成部で生成されたミストの酸性度を検知する検知部と、
前記ミスト生成部で生成されるミストの生成量を制御する制御部と、
を備え、
前記制御部は、前記検知部により検知されたミストの酸性度に応じて前記ミスト生成部で生成されるミストの生成量を制御することを特徴とする加熱送風装置。
【請求項２】
前記ミスト生成部は前記送風流路内に設けられており、前記検知部は前記ミスト生成部の下流側に配置されていることを特徴とする請求項１に記載の加熱送風装置。
【請求項３】
前記送風流路は、前記送風部の下流側かつ前記加熱部の上流側より分岐されて前記加熱部を経由しない送風が供給される分岐路を備えており、
前記分岐路に少なくとも前記ミスト生成部で生成されたミストの一部が供給され、当該分岐路の下流側に前記検知部が設けられていることを特徴とする請求項１または請求項２に記載の加熱送風装置。
【請求項４】
前記制御部は、前記送風部が駆動された際に前記ミスト生成部を駆動させ、前記検知部により検知されたミストの酸性度が所定の値以下となるように、前記ミスト生成部を制御することを特徴とする請求項１〜３のうちいずれか１項に記載の加熱送風装置。
【請求項５】
前記制御部は、前記送風部が駆動された際に前記ミスト生成部を駆動させ、前記検知部により検知されたミストの酸性度が所定の値以下の範囲で一定となるように、前記ミスト生成部を制御することを特徴とする請求項１〜３のうちいずれか１項に記載の加熱送風装置。
【請求項６】
前記制御部は、前記送風部が駆動された際に前記ミスト生成部を駆動させ、前記検知部により検知されたミストの酸性度が所定の値以下の範囲で増減を繰り返すように前記ミスト生成部を制御することを特徴とする請求項１〜３のうちいずれか１項に記載の加熱送風装置。
【請求項７】
前記加熱送風装置は、送風量を切替える送風量切替手段と、前記ミスト生成部で生成されるミストの生成量を制御する第２の制御部と、を備え、
前記第２の制御部は、前記送風量切替手段が駆動されて送風量が低下した際に、ミスト生成量が低下するように、前記ミスト生成部を制御することを特徴とする請求項１〜６のうちいずれか１項に記載の加熱送風装置。
【請求項８】
前記加熱送風装置は、送風温度を切替える送風温度切替手段と、前記ミスト生成部で生成されるミストの生成量を制御する第２の制御部と、を備え、
前記第２の制御部は、前記送風温度切替手段が駆動されて送風温度が低下した際に、ミスト生成量が低下するように、前記ミスト生成部を制御することを特徴とする請求項１〜７のうちいずれか１項に記載の加熱送風装置。
【発明の詳細な説明】
【技術分野】
【０００１】
本発明は、加熱送風装置に関する。
【背景技術】
【０００２】
従来、加熱送風装置として、弱酸性ミストを発生させるミスト発生装置を本体ケース内に設け、吹出口から弱酸性ミストを吐出させるようにしたものが知られている（例えば、特許文献１参照）。
【０００３】
この特許文献１では、皮膚や毛髪に優しく作用する３．５〜６．０ｐＨの範囲の弱酸性ミストを吐出させるようにしている。このように、弱酸性ミストを吐出させることで、弱酸性ミストが有する効用を毛髪及び頭皮に効率よく作用させることができ、キューティクルを引き締めて潤いのある髪にするトリートメント効果が得られるようにしている。
【先行技術文献】
【特許文献】
【０００４】
【特許文献１】特開２００９−１３６３０３号公報
【発明の概要】
【発明が解決しようとする課題】
【０００５】
しかしながら、上記従来の技術では、酸性度が３．５〜６．０ｐＨの範囲の酸性ミストを吐出することはできるが、吐出される酸性ミスト量を制御することはできない。そのため、ブリーチやパーマなどで痛んだ毛髪や乾燥している皮膚に酸性成分が過剰に付与されて、酸性成分による脱水反応が促進してしまい、逆に毛髪や皮膚を傷めてしまうおそれがある。
【０００６】
そこで、本発明は、毛髪や皮膚を傷めてしまうのを抑制することのできる加熱送風装置を得ることを目的とする。
【課題を解決するための手段】
【０００７】
本発明の第１の特徴は、ハウジング内に設けられて両側部に吸込口と吹出口とを備えた送風流路と、前記送風流路の上流側に配置され前記吸込口から空気を導入して前記吹出口から吐出させる送風部と、前記送風部の下流側に設けられ送風を加熱する加熱部と、酸性成分を含んだミストを生成するミスト生成部と、前記ミスト生成部で生成されたミストの酸性度を検知する検知部と、前記ミスト生成部で生成されるミストの生成量を制御する制御部と、を備え、前記制御部は、前記検知部により検知されたミストの酸性度に応じて前記ミスト生成部で生成されるミストの生成量を制御することを要旨とする。
【０００８】
本発明の第２の特徴は、前記ミスト生成部は前記送風流路内に設けられており、前記検知部は前記ミスト生成部の下流側に配置されていることを要旨とする。
【０００９】
本発明の第３の特徴は、前記送風流路は、前記送風部の下流側かつ前記加熱部の上流側より分岐されて前記加熱部を経由しない送風が供給される分岐路を備えており、前記分岐路に少なくとも前記ミスト生成部で生成されたミストの一部が供給され、当該分岐路の下流側に前記検知部が設けられていることを要旨とする。
【００１０】
本発明の第４の特徴は、前記制御部は、前記送風部が駆動された際に前記ミスト生成部を駆動させ、前記検知部により検知されたミストの酸性度が所定の値以下となるように、前記ミスト生成部を制御することを要旨とする。
【００１１】
本発明の第５の特徴は、前記制御部は、前記送風部が駆動された際に前記ミスト生成部を駆動させ、前記検知部により検知されたミストの酸性度が所定の値以下の範囲で一定となるように、前記ミスト生成部を制御することを要旨とする。
【００１２】
本発明の第６の特徴は、前記制御部は、前記送風部が駆動された際に前記ミスト生成部を駆動させ、前記検知部により検知されたミストの酸性度が所定の値以下の範囲で増減を繰り返すように前記ミスト生成部を制御することを要旨とする。
【００１３】
本発明の第７の特徴は、前記加熱送風装置は、送風量を切替える送風量切替手段と、前記ミスト生成部で生成されるミストの生成量を制御する第２の制御部と、を備え、前記第２の制御部は、前記送風量切替手段が駆動されて送風量が低下した際に、ミスト生成量が低下するように、前記ミスト生成部を制御することを要旨とする。
【００１４】
本発明の第８の特徴は、前記加熱送風装置は、送風温度を切替える送風温度切替手段と、前記ミスト生成部で生成されるミストの生成量を制御する第２の制御部と、を備え、前記第２の制御部は、前記送風温度切替手段が駆動されて送風温度が低下した際に、ミスト生成量が低下するように、前記ミスト生成部を制御することを要旨とする。
【発明の効果】
【００１５】
本発明によれば、加熱送風装置の制御部が、検知部により検知されたミストの酸性度に応じてミスト生成部で生成されるミストの生成量を制御している。そのため、酸性成分を含んだミストが過剰に吐出されてしまうのを抑制することが可能となる。その結果、髪質や肌質にあった量の酸性成分を含んだミストを吐出することができるようになり、毛髪や皮膚を傷めてしまうのを抑制することができる。
【図面の簡単な説明】
【００１６】
【図１】本発明の第１実施形態にかかるヘアドライヤを模式的に示す側断面図である。
【図２】本発明の第１実施形態にかかる制御部によってミスト生成部で生成されるミストの生成量を制御する方法を示すタイミングチャートである。
【図３】検知した硝酸イオン濃度と酸性ミスト生成部に流れる電流の関係を模式的に示すグラフである。
【図４】酸性成分を含んだミストを毛髪に付与した場合の平均摩擦係数の変化を模式的に示すグラフである。
【図５】本発明の第１実施形態の第１変形例にかかるヘアドライヤを模式的に示す側断面図である。
【図６】本発明の第１実施形態の第２変形例にかかるヘアドライヤを模式的に示す側断面図である。
【図７】本発明の第２実施形態にかかる制御部によってミスト生成部で生成されるミストの生成量を制御する方法を示すタイミングチャートである。
【図８】本発明の第３実施形態にかかる制御部によってミスト生成部で生成されるミストの生成量を制御する方法を示すタイミングチャートである。
【図９】本発明の第４実施形態にかかるヘアドライヤを模式的に示す側断面図である。
【図１０】本発明の第４実施形態にかかる第２の制御部によってミスト生成部で生成されるミストの生成量を制御する方法を示すタイミングチャートである。
【図１１】本発明の第５実施形態にかかるヘアドライヤを模式的に示す側断面図である。
【図１２】本発明の第５実施形態にかかる第２の制御部によってミスト生成部で生成されるミストの生成量を制御する方法を示すタイミングチャートである。
【図１３】本発明の第６実施形態にかかるヘアドライヤを模式的に示す側断面図である。
【発明を実施するための形態】
【００１７】
以下、本発明の実施形態について図面を参照しつつ詳細に説明する。以下では、加熱送風装置としてヘアドライヤを例示する。なお、以下の複数の実施形態には、同様の構成要素が含まれている。よって、以下では、それら同様の構成要素には共通の符号を付与するとともに、重複する説明を省略する。
【００１８】
（第１実施形態）
本実施形態にかかる加熱送風装置としてのヘアドライヤ１は、使用者が手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施形態では略Ｔ字状）の外観を呈するように構成されている。また、把持部１ａの突出端部からは、電源コード２が引き出されている。そして、把持部１ａは、本体部１ｂ側の根元部１ｃと先端部１ｄとに分割されており、これら根元部１ｃと先端部１ｄとが、連結部１ｅを介して回動可能に連結されている。なお、先端部１ｄは、本体部１ｂに沿う位置まで折り畳むことができるようになっている。
【００１９】
ヘアドライヤ１は、ヘアドライヤ１の外壁をなすハウジング３を備えており、このハウジング３は、複数の分割体を継ぎ合わせて構成されている。そして、ハウジング３の内部には空洞が形成されており、この空洞内に、各種電気部品が収容されている。
【００２０】
本実施形態では、本体部１ｂのハウジング３の内部に、長手方向（図１の左右方向）の一方側（右側）の入口開口（吸入口）４ａから出口開口（吐出口）４ｂに至る送風流路４が形成されている。すなわち、本体部１ｂのハウジング３の内部に、両側部に入口開口（吸入口）４ａと出口開口（吐出口）４ｂとを備えた送風流路４が設けられている。
【００２１】
そして、この送風流路４内の上流側（入口開口４ａに近い側）には、送風部５が配置されており、入口開口（吸入口）４ａから導入された空気を出口開口（吐出口）４ｂから吐出させるようにしている。本実施形態では、送風部５は、送風流路４内の上流側に配置されるファン５１と、ファン５１の下流側に配置されてファン５１を駆動するモータ５２と、を備えている。そして、モータ５２に通電してファン５１を駆動し、ファン５１を回転させると、外部から入口開口４ａを介して送風流路４内に流入し、当該送風流路４内を通って出口開口４ｂから外部に排出される空気流（送風）が形成される。
【００２２】
また、送風部５の下流側（送風部５よりも出口開口４ｂに近い側）には、送風を加熱する加熱部６が配置されている。この加熱部６を作動させたときには、送風部５によって形成された空気流（送風）が加熱されて出口開口４ｂから温風が吹き出されることになる。この加熱部６としては、例えば、帯状かつ波板状の電気抵抗体を本体部１ｂのハウジング３の内周に沿って巻回して配置することで形成したヒータを用いることができる。
【００２３】
さらに、本実施形態では、送風流路４内に、酸性成分を含んだミストを生成するミスト生成部１０が収容されている。本実施形態では、硝酸イオン（酸性成分）を含んだミストを生成するミスト生成部１０を、送風流路４内の送風部５と加熱部６の間に設けている。
【００２４】
このミスト生成部１０としては、静電霧化方式の装置を用いることができる。すなわち、導電性を有する金属材料によって形成される一対の電極間に高電圧を印加することで放電（コロナ放電等）を生じさせ、放電作用によって硝酸イオンを含むナノメータサイズの非常に細かいミストを生成する装置を用いることができる。
【００２５】
また、送風流路４内には、ミスト生成部１０で生成されたミスト（硝酸イオンを含んだミスト）の酸性度を検知する検知部１１が収容されている。本実施形態では、検知部１１は導電性の物質で構成されており、ミスト生成部１０の下流側に配置されている。そして、検知部１１によってミスト生成部１０で生成されたミストのｐＨ（酸性度）を検知するようにしている。
【００２６】
具体的には、ヘアドライヤ１への給電により検知部１１を正に帯電させた状態で、当該検知部１１にミストを当てるようにする。このように、正に帯電した検知部１１にミストが当たることで、ミストに含まれる硝酸イオンが検知部１１に付着して検知部１１の電荷量が変化する。そして、検知部１１の単位時間あたりの電荷量の変化からミストに含まれる硝酸イオンの量を検知するようにしている。なお、検知部１１は、導電性の物質であれば、金属でもプラスチックでもよい。また、検知部１１の形状も球状でもよいし、直方体状でもよいし、楕円状でもよい。また、検知部１１の配置位置は、出口開口（吐出口）４ｂの近傍に限られるものではなく、送風流路４内のいずれに検知部１１を配置してもよい。
【００２７】
また、把持部１ａの側面には、プッシュ式の電源スイッチ７が設けられている。この電源スイッチ７を操作して電源をＯＮにすると、把持部１ａの基端部から延びる電源コード２を介してヘアドライヤ１に給電されて、送風部５のモータ５２が駆動してファン５１が回転し、入口開口（吸入口）４ａから送風流路４内に空気が取り込まれる。また、電源をＯＮにすると、加熱部６が発熱して、送風部５から送られてくる空気が加熱される。そして、加熱された空気が温風となって出口開口（吐出口）４ｂから吐出される。
【００２８】
このとき、ミスト生成部１０で生成された硝酸イオンを含んだミストが空気とともに出口開口（吐出口）４ｂから吐出され、検知部１１がミストに含まれる硝酸イオンの量を検知する。
【００２９】
そして、出口開口（吐出口）４ｂから吹き出す温風を毛髪に当てることで毛髪を乾燥させるようにしている。さらに、出口開口（吐出口）４ｂから吐出する硝酸イオンが含まれたミストを毛髪や皮膚に当てることで、毛髪や皮膚の状態を酸性度が３．５〜６．０ｐＨの範囲となるようにし、毛髪や皮膚（頭皮や顔など）が傷まないようにしている。
【００３０】
また、本実施形態では、把持部１ａのハウジング３の空洞部内に、送風部５、加熱部６、ミスト生成部１０および検知部１１のそれぞれの出力を制御する制御部８が設けられている。この制御部８は、送風部５（モータ５２）のＯＮ・ＯＦＦのタイミング、および加熱部６のＯＮ・ＯＦＦのタイミングを制御するようになっている。また、ミスト生成部１０のＯＮ・ＯＦＦのタイミング、および検知部１１のＯＮ・ＯＦＦのタイミングを制御するようになっている。なお、本実施形態では、制御部８や後述するタイマー８１等の電子部品は、送風流路４とは画成された空間である把持部１ａの空洞部内に配置されている。
【００３１】
さらに、本実施形態では、使用者を、ミスト生成部１０で発生するイオンの電荷（本実施形態ではマイナスの電荷）の反対極に帯電させる帯電部９を設けている。帯電部９は把持部１ａの外表面に露出する導電性樹脂（導電部材）で形成されており、導線を介して制御部８に接続されている。
【００３２】
本実施形態にかかるヘアドライヤ１は、上述したように、硝酸イオン（酸性成分）を含んだミストを放出するものである。そのため、ヘアドライヤ１を継続して使用する場合、硝酸イオンの電荷（マイナスの電荷）が使用者に蓄積されてしまい、硝酸イオンが使用者に向けて放出されにくくなってしまう。しかしながら、帯電部９を設けることで、使用者を、ミスト生成部１０で発生するイオンの電荷の反対極（プラス極）に帯電させることができる。その結果、ミスト生成部１０で発生するイオンの電荷が使用者に蓄積されてイオンが使用者に到達しにくくなってしまうのを抑制することができるようになる。
【００３３】
ところで、日常に用いるシャンプーや石鹸に含まれる界面活性剤は、毛髪や皮膚の酸性度を７．５〜１０．０ｐＨのアルカリの範囲にもっていき、毛髪や皮膚を構成するたんぱく質の結合を弱める働きをするものである。そのため、通常のシャンプーや石鹸を用いて洗髪等を行うと、毛髪や皮膚の酸性度が弱アルカリ性になってしまう。しかしながら、毛髪や皮膚の状態は、一般的に、酸性度が３．５〜６．０ｐＨの範囲にあるのが正常な状態である。そこで、毛髪や皮膚に優しく作用する酸性ミスト（硝酸イオンを含んだミスト）を毛髪や皮膚に当てることで、毛髪や皮膚の状態をより正常な状態に戻すようにしたヘアドライヤが考案されている。
【００３４】
しかしながら、吐出される酸性ミスト量を制御しないと、ブリーチやパーマなどで痛んだ毛髪や、乾燥している皮膚に酸性成分が過剰に付与されてしまい、酸性成分による脱水反応が促進され、逆に毛髪や皮膚を傷めてしまうおそれがある。
【００３５】
ここで、ブリーチで痛んだ毛髪に酸性成分を過剰に付与した場合、酸性成分による脱水反応が促進してしまい、逆に毛髪を傷めてしまう事例を、図４に基づき説明する。
【００３６】
図４は、酸性成分を含んだミストの濃度を横軸、毛髪の平均摩擦係数を縦軸にとって、グラフ化したものである。
【００３７】
今回の実験では、ブリーチした毛髪を０．５ｍｍ間隔で３０本並べたサンプルを作成し、酸性成分を含んだミストを、１０ｃｍ離した距離から１０秒間付与した後の、サンプルの平均摩擦係数を測定した。なお、今回の実験では、酸性ミストの濃度が、０ｍｇ／Ｌ（純水）、７ｍｇ／Ｌ、８ｍｇ／Ｌ、９ｍｇ／Ｌ、１０ｍｇ／Ｌ、１１ｍｇ／Ｌのミストを付与した時のそれぞれのサンプルの平均摩擦係数を測定した。酸性ミストの濃度は、距離３ｃｍ離れたところから、酸性ミストを１０分間発生し続け、一定量の液体に溶解した量で示している。また、測定は２５℃、５０％ＲＨの環境で行い、平均摩擦係数の測定にはカトーテック（社名）製の摩擦感テスターを使用した。
【００３８】
図４をみると、酸性ミストの濃度が９ｍｇ／Ｌのとき、平均摩擦係数がもっとも低くなっていることが理解される。一般に、毛髪の平均摩擦係数が低いほど、その毛髪のキューティクルの密着性は良い状態にあるとされる。したがって、酸性ミストの濃度が９ｍｇ／Ｌのときに、毛髪はキューティクルの密着性が良い状態に保たれていることが理解される。そして、図４をみると、９ｍｇ／Ｌ以下の場合でも９ｍｇ／Ｌ以上の場合でも、酸性ミストの濃度が下がるにつれて、あるいは、上がるにつれて、徐々に平均摩擦係数が大きくなっている。すなわち、酸性ミストの濃度が、７〜１１ｍｇ／Ｌのいずれかのミストを付与した場合、酸性ミストの濃度が９ｍｇ／Ｌのときが、毛髪のキューティクルの密着性を良い状態に保つのに最適な値となることが理解される。この実験から、酸性成分を過剰に付与した場合には、酸性成分による脱水反応が促進され、逆に毛髪を傷めてしまうことが理解される。
【００３９】
このように、毛髪や皮膚に酸性成分が過剰に付与されてしまうと、酸性成分による脱水反応が促進され、逆に毛髪や皮膚を傷めてしまうおそれがある。
【００４０】
そこで、本実施形態では、制御部８がミスト生成部１０で生成される硝酸イオンを含んだミストの生成量を制御するようにした。
【００４１】
本実施形態では、制御部８が、検知部１１により検知されたミストの酸性度（硝酸イオンの濃度）に応じてミスト生成部１０で生成される硝酸イオンを含んだミストの生成量を制御するようにしている。
【００４２】
具体的には、送風部５が駆動された際に、制御部８がミスト生成部１０を駆動させるようにしている。そして、検知部１１により検知されたミストの酸性度（硝酸イオンの濃度）が所定の値以下となるように、制御部８がミスト生成部１０を制御するようにした。
【００４３】
このとき、本実施形態では、検知部１１により検知されたミストのｐＨ（酸性度）が所定の値以下の範囲で一定となるように、制御部８がミスト生成部１０を制御するようにしている。
【００４４】
次に、制御部８によるミスト生成部１０の制御方法の一例を、図２のタイミングチャートに基づいて説明する。
【００４５】
まず、プッシュ式の電源スイッチ７を操作して電源をＯＮにすると、図示せぬコンセントを介して、送風部５のモータ５２と加熱部６とミスト生成部１０と検知部１１に、電力が給電される。そして、送風部５のファン５１が回転することで、入口開口（吸入口）４ａから送風流路４内に空気が取り込まれ、出口開口（吐出口）４ｂから加熱部６で加熱された温風が吐出される。このとき、ミスト生成部１０で生成される硝酸イオンを含んだミストも出口開口（吐出口）４ｂから吐出される。
【００４６】
また、電源をＯＮにすると検知部１１にも電気が流れ、検知部１１が正に帯電する。そして、ミストに含まれる酸性成分（硝酸イオン）は負に帯電しているので、正に帯電した検知部１１に硝酸イオンが付着し、検知部１１の電荷量が変化する。そして、検知部１１の単位時間あたりの電荷量の変化から、ミストに含まれる硝酸イオンの量を検出する。例えば、タイマー８１を用いて、検知部１１の電荷量の変化を１０秒ごとに測定し、１０秒前の検知部１１の電荷量との差から硝酸イオンの量を求めるようにすることができる。
【００４７】
また、ミスト生成部１０の制御部８による制御は、送風部５のモータ５２と加熱部６とミスト生成部１０と検知部１１に、電力が給電された数秒後から開始される。制御を開始するまでの時間は、１０秒程度が好ましい。
【００４８】
すなわち、図２のタイミングチャートに示すように、ヘアドライヤ１の電源スイッチ７を操作して電源をＯＮにした時点をＴ０秒とすると、（Ｔ０＋１０）秒後にミスト生成部１０の制御を開始するようにしている。
【００４９】
そして、制御開始後、検知部１１は随時、好ましくは３秒に１回程度、硝酸イオン（酸性成分）の濃度の検出を行う。そして、硝酸イオンを含んだミストの酸性度（硝酸イオン濃度）が所定の量（閾値）ｘ０に達すると、制御部８は、硝酸イオンを含んだミストの硝酸イオン濃度が閾値ｘ０の所定の倍率ｙで一定に保たれるように、ミスト生成部１０で生成されるミストの量を制御する。
【００５０】
ところで、図３に示すように、検知される酸性度（硝酸イオン濃度）と、ミスト生成部１０に流れる電流Ａは比例関係にある。したがって、ミスト生成部１０に流れる電流Ａを所定の値となるように制御することで、検知される酸性度（硝酸イオン濃度）を閾値ｘ０の所定の倍率ｙで一定に保つことが可能となる。
【００５１】
そこで、本実施形態では、硝酸イオンを含んだミストの酸性度（硝酸イオン濃度）が所定の量（閾値）ｘ０の所定の倍率ｙで一定に保たれるようにミスト生成部１０で生成されるミストの量を制御した後（図４のＴ１後）は、検知部１１への給電を停止するようにしている。なお、検知部１１への給電は停止しなくてもよい。検知部１１への給電を停止した場合、検知部１１に付着した硝酸イオンは、給電停止後、検知部１１から離れることとなる。
【００５２】
本実施形態では、図２のタイミングチャートに示すように、硝酸イオンを含んだミストの酸性度（硝酸イオン濃度）が所定の量（閾値）ｘ０に達したことを検知部１１が検知すると、ミスト生成部１０に流れる電流Ａを徐々に減少させ、検知される酸性度（硝酸イオン濃度）を徐々に減少させるようにする。
【００５３】
そして、硝酸イオンを含んだミストの酸性度（硝酸イオン濃度）が所定の量（閾値）ｘ０の所定の倍率ｙとなったとき（図２のＴ１）には、ミスト生成部１０に流れる電流Ａを一定となるように制御し、硝酸イオンを含んだミストの酸性度（硝酸イオン濃度）が所定の量（閾値）ｘ０の所定の倍率ｙで一定に保たれるようにする。このとき、検知部１１への給電が停止される。
【００５４】
最後に、プッシュ式の電源スイッチ７を操作して電源をＯＦＦにする（図２のＴ２）と、送風部５のモータ５２と加熱部６とミスト生成部１０への給電が停止される。
【００５５】
なお、所定の量（閾値）ｘ０は、距離３ｃｍ離れたところから、酸性ミストを１０分間発生し続け、一定量の液体に溶解した量で示した場合に、９ｍｇ／Ｌ程度となる濃度であることが望ましい。具体的には、所定の量（閾値）ｘ０は、３０から４０ｍｇ／Ｌ程度、より好ましくは、３６ｍｇ／Ｌ程度とするのが望ましい。このとき、ミスト生成部１０に流れる電流Ａは、５から１５μＡ程度、より好ましくは、８から１０μＡ程度とするのが望ましい。そして、所定の倍率ｙは４分の３から２分の１、より好ましくは、３分の２程度とするのが望ましい。
【００５６】
このように、ミスト生成部１０で生成されるミストの量を制御することで、ヘアドライヤ１を使用した後の毛髪の状態を、濃度が９ｍｇ／Ｌの酸性成分を含んだミストを、１０ｃｍ離した距離から１０秒間付与した毛髪の状態に近づけることが可能となる。
【００５７】
なお、送風部５のモータ５２、加熱部６やミスト生成部１０への電力の給電が小さい場合、ミストに含まれる酸性成分が所定の値を超えない場合もある。この場合には、例えば、硝酸イオンを含んだミストの酸性度（硝酸イオン濃度）が所定の量（閾値）ｘ０の所定の倍率ｙを超えたときに、一定に保たれるように制御するようにすればよい。
【００５８】
以上説明したように、本実施形態では、ヘアドライヤ（加熱送風装置）１の制御部８が、検知部１１により検知されたミストの酸性度（硝酸イオン濃度）に応じてミスト生成部１０で生成されるミストの生成量を制御している。
【００５９】
本実施形態では、制御部８が、送風部５が駆動された際にミスト生成部１０を駆動させ、検知部１１により検知されたミストの酸性度（硝酸イオン濃度）が所定の値ｘ０以下となるように、ミスト生成部１０を制御している。そのため、硝酸イオン（酸性成分）を含んだミストが過剰に吐出されてしまうのを抑制することができる。その結果、髪質や肌質にあった量の硝酸イオン（酸性成分）を含んだミストを吐出することができるようになり、毛髪や皮膚を傷めてしまうのを抑制することができる。
【００６０】
また、本実施形態では、検知部１１が、ミスト生成部１０の下流側に配置されているため、実際に毛髪や皮膚に付着する硝酸イオン（酸性成分）の量を、検知部１１によってより正確に検知することができる。
【００６１】
また、本実施形態では、制御部８が、検知部１１により検知されたミストの酸性度（硝酸イオン濃度）が所定の値ｘ０以下の範囲で一定となるように、ミスト生成部１０を制御している。そのため、硝酸イオン（酸性成分）を含んだミストが過剰に吐出されてしまうのをより確実に抑制することができる。
【００６２】
次に、本実施形態の変形例について説明する。
【００６３】
（第１実施形態の第１変形例）
本変形例にかかるヘアドライヤ１Ａは、基本的に上記第１実施形態とほぼ同様の構成をしている。すなわち、ヘアドライヤ１Ａは、ハウジング３内に設けられて両側部に入口開口（吸入口）４ａと出口開口（吐出口）４ｂとを備えた送風流路４を備えている。そして、送風流路４の上流側に、入口開口（吸入口）４ａから空気を導入して出口開口（吐出口）４ｂから吐出させる送風部５が配置されており、送風部５の下流側に送風を加熱する加熱部６が設けられている。
【００６４】
さらに、送風流路４内には、硝酸イオン（酸性成分）を含んだミストを生成するミスト生成部１０と、ミスト生成部１０で生成されたミストの酸性度（硝酸イオン濃度）を検知する検知部１１と、が設けられている。そして、把持部１ａのハウジング３の空洞部内に、ミスト生成部１０で生成されるミストの生成量を制御する制御部８が設けられている。
【００６５】
また、本変形例にあっても、制御部８によって、図２のタイミングチャートに示す制御が行われている。
【００６６】
すなわち、制御部８が、検知部１１により検知されたミストの酸性度（硝酸イオンの濃度）に応じてミスト生成部１０で生成される硝酸イオンを含んだミストの生成量を制御するようにしている。
【００６７】
具体的には、送風部５が駆動された際に、制御部８がミスト生成部１０を駆動させるようにしている。そして、検知部１１により検知されたミストの酸性度（硝酸イオンの濃度）が所定の値以下となるように、制御部８がミスト生成部１０を制御するようにしている。
【００６８】
そして、検知部１１により検知されたミストの酸性度（硝酸イオン濃度）が所定の値以下の範囲で一定となるように、制御部８がミスト生成部１０を制御するようにしている。
【００６９】
ここで、本変形例にかかるヘアドライヤ１Ａが、上記第１実施形態と主に異なる点は、ヘアドライヤ１Ａの送風流路４が、送風部５の下流側かつ加熱部６の上流側より分岐されて加熱部６を経由しない送風が供給される分岐路４ｃを備えている点にある。
【００７０】
そして、分岐路４ｃに少なくともミスト生成部１０で生成されたミストの一部が供給され、当該分岐路４ｃの下流側に検知部１１が設けられるようにしている。
【００７１】
具体的には、本体部１ｂのハウジング３の内部に仕切板３ａを設けることで、加熱部６を経由する送風が供給される送付流路４と、加熱部６を経由しない送風が供給される分岐路４ｃとを形成している。
【００７２】
なお、本体部１ｂのハウジング３の内部に加熱部６を囲うように内筒を設け、分岐路４ｃを形成するようにしてもよい。
【００７３】
以上の本変形例によっても、上記第１実施形態とほぼ同様の作用、効果を奏することができる。
【００７４】
また、本変形例によれば、送風流路４が、送風部５の下流側かつ加熱部６の上流側より分岐されて加熱部６を経由しない送風が供給される分岐路４ｃを備えている。そして、分岐路４ｃに少なくともミスト生成部１０で生成されたミストの一部が供給され、当該分岐路４ｃの下流側に検知部１１が設けられるようにしている。その結果、送風流路４の本流を流れる風の影響を受けずに、硝酸イオン（酸性成分）の量を検知することができるようになり、硝酸イオン（酸性成分）の量を、検知部１１によってより正確に検知することができる。
【００７５】
（第１実施形態の第２変形例）
本変形例にかかるヘアドライヤ１Ｂは、基本的に上記第１実施形態の第１変形例とほぼ同様の構成をしている。すなわち、ヘアドライヤ１Ｂは、ハウジング３内に設けられて両側部に入口開口（吸入口）４ａと出口開口（吐出口）４ｂとを備えた送風流路４を備えている。そして、送風流路４の上流側に、入口開口（吸入口）４ａから空気を導入して出口開口（吐出口）４ｂから吐出させる送風部５が配置されており、送風部５の下流側に送風を加熱する加熱部６が設けられている。
【００７６】
さらに、送風流路４内には、硝酸イオン（酸性成分）を含んだミストを生成するミスト生成部１０と、ミスト生成部１０で生成されたミストの酸性度（硝酸イオン濃度）を検知する検知部１１と、が設けられている。そして、把持部１ａのハウジング３の空洞部内に、ミスト生成部１０で生成されるミストの生成量を制御する制御部８が設けられている。
【００７７】
さらに、送風流路４が、送風部５の下流側かつ加熱部６の上流側より分岐されて加熱部６を経由しない送風が供給される分岐路４ｃを備えている。
【００７８】
具体的には、本体部１ｂのハウジング３の内部に仕切板３ａを設けることで、加熱部６を経由する送風が供給される送付流路４と、加熱部６を経由しない送風が供給される分岐路４ｃとを形成している。
【００７９】
なお、本体部１ｂのハウジング３の内部に加熱部６を囲うように内筒を設け、分岐路４ｃを形成するようにしてもよい。
【００８０】
また、本変形例にあっても、制御部８によって、図２のタイミングチャートに示す制御が行われている。
【００８１】
すなわち、制御部８が、検知部１１により検知されたミストの酸性度（硝酸イオンの濃度）に応じてミスト生成部１０で生成される硝酸イオンを含んだミストの生成量を制御するようにしている。
【００８２】
具体的には、送風部５が駆動された際に、制御部８がミスト生成部１０を駆動させるようにしている。そして、検知部１１により検知されたミストの酸性度（硝酸イオンの濃度）が所定の値以下となるように、制御部８がミスト生成部１０を制御するようにしている。
【００８３】
そして、検知部１１により検知されたミストの酸性度（硝酸イオン濃度）が所定の値以下の範囲で一定となるように、制御部８がミスト生成部１０を制御するようにしている。
【００８４】
ここで、本変形例にかかるヘアドライヤ１Ｂが、上記第１実施形態の第１変形例と主に異なる点は、ミスト生成部１０が、分岐路４ｃ内に配置されている点にある。
【００８５】
以上の本変形例によっても、上記第１実施形態の第１変形例とほぼ同様の作用、効果を奏することができる。
【００８６】
（第２実施形態）
本実施形態にかかるヘアドライヤ１は、上記第１実施形態のヘアドライヤ１と同様の構成をしている。ここで、本実施形態においては、制御部８にて行われる制御が上記第１実施形態とは異なっている。
【００８７】
以下、本実施形態における制御について、図７のタイミングチャートに基づき説明する。
【００８８】
本実施形態の制御部８による制御は、基本的には上記第１実施形態の制御部８による制御とほぼ同様であるが、第１実施形態における制御と主に異なる点は、検知部１１により検知されたミストの酸性度（硝酸イオンの濃度）が所定の値以下の範囲で増減を繰り返すように制御部８がミスト生成部１０を制御する点にある。
【００８９】
すなわち、制御部８が、検知部１１により検知されたミストの酸性度（硝酸イオンの濃度）に応じてミスト生成部１０で生成される硝酸イオンを含んだミストの生成量を制御するようにしている。
【００９０】
具体的には、送風部５が駆動された際に、制御部８がミスト生成部１０を駆動させるようにしている。そして、検知部１１により検知されたミストの酸性度（硝酸イオンの濃度）が所定の値以下となるように、制御部８がミスト生成部１０を制御するようにしている。
【００９１】
このとき、本実施形態では、検知部１１により検知されたミストの酸性度（硝酸イオンの濃度）が所定の値以下の範囲で増減を繰り返すように制御部８がミスト生成部１０を制御するようにしている。
【００９２】
次に、制御部８によるミスト生成部１０の制御方法の一例を、図７のタイミングチャートに基づいて説明する。
【００９３】
まず、プッシュ式の電源スイッチ７を操作して電源をＯＮにすると、図示せぬコンセントを介して、送風部５のモータ５２と加熱部６とミスト生成部１０と検知部１１に、電力が給電される。そして、送風部５のファン５１が回転することで、入口開口（吸入口）４ａから送風流路４内に空気が取り込まれ、出口開口（吐出口）４ｂから加熱部６で加熱された温風が吐出される。このとき、ミスト生成部１０で生成される硝酸イオンを含んだミストも出口開口（吐出口）４ｂから吐出される。
【００９４】
また、電源をＯＮにすると検知部１１にも電気が流れ、検知部１１が正に帯電する。そして、ミストに含まれる酸性成分（硝酸イオン）は負に帯電しているので、正に帯電した検知部１１に硝酸イオンが付着し、検知部１１の電荷量が変化する。そして、検知部１１の単位時間あたりの電荷量の変化から、ミストに含まれる硝酸イオンの量を検出する。例えば、タイマー８１を用いて、検知部１１の電荷量の変化を１０秒ごとに測定し、１０秒前の検知部１１の電荷量との差から硝酸イオンの量を求めるようにすることができる。
【００９５】
また、ミスト生成部１０の制御部８による制御は、送風部５のモータ５２と加熱部６とミスト生成部１０と検知部１１に、電力が給電された数秒後から開始される。制御を開始するまでの時間は、１０秒程度が好ましい。
【００９６】
すなわち、図７のタイミングチャートに示すように、ヘアドライヤ１の電源スイッチ７を操作して電源をＯＮにした時点をＴ０秒とすると、（Ｔ０＋１０）秒後にミスト生成部１０の制御を開始するようにしている。
【００９７】
そして、制御開始後、検知部１１は随時、好ましくは３秒に１回程度、硝酸イオン（酸性成分）の濃度の検出を行う。そして、硝酸イオンを含んだミストの酸性度（硝酸イオン濃度）が所定の量（閾値）ｘ０に達すると、制御部８は、検知部１１により検知されたミストの酸性度（硝酸イオンの濃度）が所定の値ｘ０以下の範囲で増減を繰り返すように制御する。
【００９８】
具体的には、ミスト生成部１０に流れる電流Ａを所定の値ｘ０以下の範囲で増減を繰り返すように制御することで、ミストの酸性度（硝酸イオンの濃度）が所定の値ｘ０以下の範囲で増減を繰り返すようにしている。
【００９９】
本実施形態では、ミストの酸性度（硝酸イオンの濃度）が所定の値ｘ０の所定の倍率ｙ以下の範囲で増減を繰り返すようにしている。
【０１００】
具体的には、図７のタイミングチャートに示すように、硝酸イオンを含んだミストの酸性度（硝酸イオン濃度）が所定の量（閾値）ｘ０に達したことを検知部１１が検知すると、ミスト生成部１０に流れる電流Ａを徐々に減少させ、検知される酸性度（硝酸イオン濃度）を徐々に減少させるようにする。
【０１０１】
そして、硝酸イオンを含んだミストの酸性度（硝酸イオン濃度）が所定の量（閾値）ｘ０の所定の倍率ｙとなったとき（図７のＴ１）には、ミスト生成部１０に流れる電流Ａを所定の値ｘ０の所定の倍率ｙ以下の範囲で増減を繰り返すように制御し、硝酸イオンを含んだミストの酸性度（硝酸イオン濃度）が所定の量（閾値）ｘ０の所定の倍率ｙ以下の範囲で増減を繰り返すようにしている。
【０１０２】
最後に、プッシュ式の電源スイッチ７を操作して電源をＯＦＦにする（図７のＴ２）と、送風部５のモータ５２と加熱部６とミスト生成部１０と検知部１１への給電が停止される。
【０１０３】
なお、所定の量（閾値）ｘ０は、距離３ｃｍ離れたところから、酸性ミストを１０分間発生し続け、一定量の液体に溶解した量で示した場合に、９ｍｇ／Ｌ程度となる濃度であることが望ましい。具体的には、所定の量（閾値）ｘ０は、３０から４０ｍｇ／Ｌ程度、より好ましくは、３６ｍｇ／Ｌ程度とするのが望ましい。このとき、ミスト生成部１０に流れる電流Ａは、５から１５μＡ程度、より好ましくは、８から１０μＡ程度とするのが望ましい。そして、所定の倍率ｙは４分の３から２分の１、より好ましくは、３分の２程度とするのが望ましい。
【０１０４】
このように、ミスト生成部１０で生成されるミストの量を制御することで、ヘアドライヤ１を使用した後の毛髪の状態を、濃度が９ｍｇ／Ｌの酸性成分を含んだミストを、１０ｃｍ離した距離から１０秒間付与した毛髪の状態に近づけることが可能となる。
【０１０５】
以上の本実施形態によっても、上記第１実施形態と同様の作用、効果を奏することができる。
【０１０６】
また、本実施形態によれば、検知部１１により検知されたミストの酸性度（硝酸イオンの濃度）が所定の値以下の範囲で増減を繰り返すように制御部８がミスト生成部１０を制御している。すなわち、硝酸イオン（酸性成分）を含んだミストの酸性度（硝酸イオン濃度）が所定の値（閾値）に達した場合、その後、硝酸イオン（酸性成分）を含んだミストの酸性度（硝酸イオン濃度）が閾値の所定の倍率を超えない範囲で強弱をつけて生成されるようにミスト生成部１０を制御している。この結果、毛髪の一部にだけ局所的に硝酸イオン（酸性成分）が付着するのを抑制することができる。
【０１０７】
なお、強弱をつけて生成されるように制御する方法としては、図７に示すもの以外に、ｓｉｎ波状となるように制御することが考えられる。また、波形がパルス状となるように制御することも考えられる。また、徐々に減衰していく波形となるように制御することも考えられる。
【０１０８】
また、上記第１実施形態の変形例に示したヘアドライヤ１Ａ、１Ｂに本実施形態の制御を適用することも可能である。
【０１０９】
（第３実施形態）
本実施形態にかかるヘアドライヤ１は、上記第１実施形態のヘアドライヤ１と同様の構成をしている。ここで、本実施形態においては、制御部８にて行われる制御が上記第１実施形態とは異なっている。
【０１１０】
以下、本実施形態における制御について、図８のタイミングチャートに基づき説明する。
【０１１１】
本実施形態の制御部８による制御は、基本的には上記第１実施形態の制御部８による制御とほぼ同様であるが、第１実施形態における制御と主に異なる点は、検知部１１により検知されたミストの酸性度（硝酸イオンの濃度）が単に所定の値以下の範囲となるようにミスト生成部１０を制御する点にある。
【０１１２】
すなわち、制御部８が、検知部１１により検知されたミストの酸性度（硝酸イオンの濃度）に応じてミスト生成部１０で生成される硝酸イオンを含んだミストの生成量を制御するようにしている。
【０１１３】
具体的には、送風部５が駆動された際に、制御部８がミスト生成部１０を駆動させるようにしている。そして、検知部１１により検知されたミストの酸性度（硝酸イオンの濃度）が所定の値以下となるように、制御部８がミスト生成部１０を制御するようにしている。
【０１１４】
次に、制御部８によるミスト生成部１０の制御方法の一例を、図８のタイミングチャートに基づいて説明する。
【０１１５】
まず、プッシュ式の電源スイッチ７を操作して電源をＯＮにすると、図示せぬコンセントを介して、送風部５のモータ５２と加熱部６とミスト生成部１０と検知部１１に、電力が給電される。そして、送風部５のファン５１が回転することで、入口開口（吸入口）４ａから送風流路４内に空気が取り込まれ、出口開口（吐出口）４ｂから加熱部６で加熱された温風が吐出される。このとき、ミスト生成部１０で生成される硝酸イオンを含んだミストも出口開口（吐出口）４ｂから吐出される。
【０１１６】
また、電源をＯＮにすると検知部１１にも電気が流れ、検知部１１が正に帯電する。そして、ミストに含まれる酸性成分（硝酸イオン）は負に帯電しているので、正に帯電した検知部１１に硝酸イオンが付着し、検知部１１の電荷量が変化する。そして、検知部１１の単位時間あたりの電荷量の変化から、ミストに含まれる硝酸イオンの量を検出する。例えば、タイマー８１を用いて、検知部１１の電荷量の変化を１０秒ごとに測定し、１０秒前の検知部１１の電荷量との差から硝酸イオンの量を求めるようにすることができる。
【０１１７】
また、ミスト生成部１０の制御部８による制御は、送風部５のモータ５２と加熱部６とミスト生成部１０と検知部１１に、電力が給電された数秒後から開始される。制御を開始するまでの時間は、１０秒程度が好ましい。
【０１１８】
すなわち、図８のタイミングチャートに示すように、ヘアドライヤ１の電源スイッチ７を操作して電源をＯＮにした時点をＴ０秒とすると、（Ｔ０＋１０）秒後にミスト生成部１０の制御を開始するようにしている。
【０１１９】
そして、制御開始後、検知部１１は随時、好ましくは３秒に１回程度、硝酸イオン（酸性成分）の濃度の検出を行う。そして、硝酸イオンを含んだミストの酸性度（硝酸イオン濃度）が所定の量（閾値）ｘ０に達すると、制御部８は、検知部１１により検知されたミストの酸性度（硝酸イオンの濃度）が所定の値ｘ０以下の範囲で変化するように制御する。
【０１２０】
すなわち、図８のタイミングチャートに示すように、硝酸イオンを含んだミストの酸性度（硝酸イオン濃度）が所定の量（閾値）ｘ０に達したことを検知部１１が検知すると、ミスト生成部１０に流れる電流Ａを所定の電流Ａ０以下の範囲で変化させて、検知される酸性度（硝酸イオン濃度）が所定の値ｘ０以下の範囲で変化するようにしている。
【０１２１】
最後に、プッシュ式の電源スイッチ７を操作して電源をＯＦＦにする（図８のＴ２）と、送風部５のモータ５２と加熱部６とミスト生成部１０と検知部１１への給電が停止される。
【０１２２】
なお、所定の量（閾値）ｘ０は、距離３ｃｍ離れたところから、酸性ミストを１０分間発生し続け、一定量の液体に溶解した量で示した場合に、９ｍｇ／Ｌ程度となる濃度であることが望ましい。具体的には、所定の量（閾値）ｘ０は、３０から４０ｍｇ／Ｌ程度、より好ましくは、３６ｍｇ／Ｌ程度とするのが望ましい。このとき、ミスト生成部１０に流れる電流Ａは、５から１５μＡ程度、より好ましくは、８から１０μＡ程度とするのが望ましい。
【０１２３】
このように、ミスト生成部１０で生成されるミストの量を制御することで、ヘアドライヤ１を使用した後の毛髪の状態を、濃度が９ｍｇ／Ｌの酸性成分を含んだミストを、１０ｃｍ離した距離から１０秒間付与した毛髪の状態に近づけることが可能となる。
【０１２４】
以上の本実施形態によっても、上記第１実施形態と同様の作用、効果を奏することができる。
【０１２５】
また、上記第１実施形態の変形例に示したヘアドライヤ１Ａ、１Ｂに本実施形態の制御を適用することも可能である。
【０１２６】
（第４実施形態）
本実施形態にかかるヘアドライヤ１Ｃは、基本的に上記第１実施形態の第２変形例とほぼ同様の構成をしている。すなわち、ヘアドライヤ１Ｃは、図９に示すように、ハウジング３内に設けられて両側部に入口開口（吸入口）４ａと出口開口（吐出口）４ｂとを備えた送風流路４を備えている。そして、送風流路４の上流側に、入口開口（吸入口）４ａから空気を導入して出口開口（吐出口）４ｂから吐出させる送風部５が配置されており、送風部５の下流側に送風を加熱する加熱部６が設けられている。
【０１２７】
さらに、送風流路４内には、硝酸イオン（酸性成分）を含んだミストを生成するミスト生成部１０と、ミスト生成部１０で生成されたミストの酸性度（硝酸イオン濃度）を検知する検知部１１と、が設けられている。そして、把持部１ａのハウジング３の空洞部内に、ミスト生成部１０で生成されるミストの生成量を制御する制御部８が設けられている。
【０１２８】
さらに、送風流路４が、送風部５の下流側かつ加熱部６の上流側より分岐されて加熱部６を経由しない送風が供給される分岐路４ｃを備えている。
【０１２９】
具体的には、本体部１ｂのハウジング３の内部に仕切板３ａを設けることで、加熱部６を経由する送風が供給される送付流路４と、加熱部６を経由しない送風が供給される分岐路４ｃとを形成している。
【０１３０】
なお、本体部１ｂのハウジング３の内部に加熱部６を囲うように内筒を設け、分岐路４ｃを形成するようにしてもよい。
【０１３１】
そして、ミスト生成部１０が、分岐路４ｃ内に配置されている。
【０１３２】
また、本実施形態においても、制御部８が、検知部１１により検知されたミストの酸性度（硝酸イオンの濃度）に応じてミスト生成部１０で生成される硝酸イオンを含んだミストの生成量を制御するようにしている。
【０１３３】
具体的には、上記第１から第３実施形態で説明したいずれかの制御方法によって、ミスト生成部１０で生成される硝酸イオンを含んだミストの生成量を制御している。
【０１３４】
ここで、本実施形態にかかるヘアドライヤ１Ｃが、上記第１実施形態の第２変形例と主に異なる点は、ヘアドライヤ１Ｃが、送風量を切替える送風量切替手段１２を有している点にある。送風量切替手段１２は、把持部１ａの電源スイッチ７の上部に形成されており、導線を介して制御部８に接続されている。そして、送風量を２段階に切替えることができるようになっている。
【０１３５】
さらに、ヘアドライヤ１Ｃは、送風量切替手段１２が駆動されて送風量が低下した際に、ミスト生成量が低下するように、ミスト生成部１０を制御する第２の制御部を有している。本実施形態では、制御部８が、第２の制御部を兼ねている。なお、第２の制御部を制御部８とは別体に設けるようにしてもよい。この場合、送風量切替手段１２は、導線を介して制御部８とは別体に設けた第２の制御部に接続されることとなる。
【０１３６】
次に、制御部８によるミスト生成部１０の制御方法の一例を、図１０のタイミングチャートに基づいて説明する。
【０１３７】
まず、プッシュ式の電源スイッチ７を操作して電源をＯＮにすると、図示せぬコンセントを介して、送風部５のモータ５２と加熱部６とミスト生成部１０と検知部１１に、電力（例えば、１２００Ｗの電力）が給電される。そして、送風部５のファン５１が回転することで、入口開口（吸入口）４ａから送風流路４内に空気が取り込まれ、出口開口（吐出口）４ｂから加熱部６で加熱された温風が吐出される。このとき、ミスト生成部１０で生成される硝酸イオンを含んだミストも出口開口（吐出口）４ｂから吐出される。なお、１２００Ｗの電力が供給されている場合、１．３ｍ２／分の風が送出されることとなる。
【０１３８】
また、電源をＯＮにすると検知部１１にも電気が流れ、検知部１１が正に帯電する。そして、ミストに含まれる酸性成分（硝酸イオン）は負に帯電しているので、正に帯電した検知部１１に硝酸イオンが付着し、検知部１１の電荷量が変化する。そして、検知部１１の単位時間あたりの電荷量の変化から、ミストに含まれる硝酸イオンの量を検出する。例えば、タイマー８１を用いて、検知部１１の電荷量の変化を１０秒ごとに測定し、１０秒前の検知部１１の電荷量との差から硝酸イオンの量を求めるようにすることができる。
【０１３９】
また、ミスト生成部１０の制御部８による制御は、送風部５のモータ５２と加熱部６とミスト生成部１０と検知部１１に、電力が給電された数秒後から開始される。制御を開始するまでの時間は、１５秒程度が好ましい。
【０１４０】
すなわち、図１０のタイミングチャートに示すように、ヘアドライヤ１Ｃの電源スイッチ７を操作して電源をＯＮにした時点をＴ０秒とすると、（Ｔ０＋１５）秒後にミスト生成部１０の制御を開始するようにしている。なお、上記第１から第３実施形態で示したように、制御を開始するまでの時間を、１０秒程度とすることも可能である。
【０１４１】
そして、制御開始後、検知部１１は随時、好ましくは３秒に１回程度、硝酸イオン（酸性成分）の濃度の検出を行う。そして、硝酸イオンを含んだミストの酸性度（硝酸イオン濃度）が所定の量（閾値）ｘ０に達すると、制御部８は、硝酸イオンを含んだミストの硝酸イオン濃度が閾値ｘ０の所定の倍率ｙで一定に保たれるように、ミスト生成部１０で生成されるミストの量を制御する。
【０１４２】
本実施形態においても、ミスト生成部１０に流れる電流Ａを所定の値となるように制御することで、検知される酸性度（硝酸イオン濃度）を閾値ｘ０の所定の倍率ｙで一定に保つようにしている。
【０１４３】
なお、所定の量（閾値）ｘ０は、距離３ｃｍ離れたところから、酸性ミストを１０分間発生し続け、一定量の液体に溶解した量で示した場合に、９ｍｇ／Ｌ程度となる濃度であることが望ましい。具体的には、所定の量（閾値）ｘ０は、３０から４０ｍｇ／Ｌ程度、より好ましくは、３６ｍｇ／Ｌ程度とするのが望ましい。このとき、ミスト生成部１０に流れる電流Ａは、５から１５μＡ程度、より好ましくは、８から１０μＡ程度とするのが望ましい。そして、所定の倍率ｙは４分の３から２分の１、より好ましくは、３分の２程度とするのが望ましい。図１０では、所定の倍率ｙが４分の３のもの（ミスト生成部１０に流れる電流Ａが３／４Ａ０となるように制御するもの）を例示している。
【０１４４】
このように、ミスト生成部１０で生成されるミストの量を制御することで、ヘアドライヤ１Ｃを使用した後の毛髪の状態を、濃度が９ｍｇ／Ｌの酸性成分を含んだミストを、１０ｃｍ離した距離から１０秒間付与した毛髪の状態に近づけることが可能となる。
【０１４５】
そして、ヘアドライヤ１Ｃの使用途中で、送風量切替手段１２を操作して送風量を切替えると、６００Ｗの電力が供給され（図１０のＴ１）、０．７５ｍ２／分の風が送出されることとなる。
【０１４６】
このとき、制御部８は、酸性ミストが１２００Ｗのときの１／２だけ生成されるようにミスト生成部１０で生成されるミストの量を制御する。すなわち、制御部８は、ミスト生成部１０に流れる電流Ａが３／８Ａ０となるように制御することとなる。このように、送風量切替手段１２が駆動されて送風量が低下した際に、第２の制御部としての制御部８がミスト生成量が低下するようにミスト生成部１０を制御するようにしている。
【０１４７】
そして、送風量切替手段１２を再度操作して１２００Ｗの電力が供給されるようにした場合には（図１０のＴ２）、１．３ｍ２／分の風が送出されるようになる。この場合には、制御部８による制御ももとの状態となる。すなわち、硝酸イオンを含んだミストの酸性度（硝酸イオン濃度）が所定の量（閾値）ｘ０に達した際に、制御部８が、硝酸イオンを含んだミストの硝酸イオン濃度が閾値ｘ０の所定の倍率ｙ（図１０では３／４）で一定に保たれるように（ミスト生成部１０に流れる電流Ａが３／４Ａ０となるように）、ミスト生成部１０で生成されるミストの量を制御するようになる。
【０１４８】
最後に、プッシュ式の電源スイッチ７を操作して電源をＯＦＦにする（図１０のＴ３）と、送風部５のモータ５２と加熱部６とミスト生成部１０への給電が停止される。
【０１４９】
以上の本実施形態によっても、上記第１から第３実施形態およびその変形例と同様の作用、効果を奏することができる。
【０１５０】
また、本実施形態では、ヘアドライヤ（加熱送風装置）１Ｃの制御部（第２の制御部）８が、送風量切替手段１２が駆動されて送風量が低下した際に、ミスト生成量が低下するように、ミスト生成部１０を制御している。すなわち、制御部（第２の制御部）８が送風量に応じた生成量となるようにミスト生成部１０を制御している。
【０１５１】
このように、送風量が低下した際に、ミスト生成量が低下するように、ミスト生成部１０を制御することで、硝酸イオン（酸性成分）を含んだミストが高濃度な状態で吐出されて毛髪に付着してしまうのを抑制することができるようになる。その結果、送風量の増減にかかわらず、髪質や肌質にあった量の硝酸イオン（酸性成分）を含んだミストを吐出することができるようになり、毛髪や皮膚を傷めてしまうのをより抑制することができる。
【０１５２】
なお、図１０では、通常時の制御部８によるミスト生成部１０の制御として、上記第１実施形態で示した制御を例示したが、通常時の制御部８によるミスト生成部１０の制御を、上記第２、第３実施形態で示した制御とすることも可能である。
【０１５３】
また、上記第１実施形態およびその変形例に示したヘアドライヤ１、１Ａに本実施形態の構成や制御を適用することも可能である。
【０１５４】
（第５実施形態）
本実施形態にかかるヘアドライヤ１Ｄは、基本的に上記第１実施形態の第２変形例とほぼ同様の構成をしている。すなわち、ヘアドライヤ１Ｄは、図１１に示すように、ハウジング３内に設けられて両側部に入口開口（吸入口）４ａと出口開口（吐出口）４ｂとを備えた送風流路４を備えている。そして、送風流路４の上流側に、入口開口（吸入口）４ａから空気を導入して出口開口（吐出口）４ｂから吐出させる送風部５が配置されており、送風部５の下流側に送風を加熱する加熱部６が設けられている。
【０１５５】
さらに、送風流路４内には、硝酸イオン（酸性成分）を含んだミストを生成するミスト生成部１０と、ミスト生成部１０で生成されたミストの酸性度（硝酸イオン濃度）を検知する検知部１１と、が設けられている。そして、把持部１ａのハウジング３の空洞部内に、ミスト生成部１０で生成されるミストの生成量を制御する制御部８が設けられている。
【０１５６】
さらに、送風流路４が、送風部５の下流側かつ加熱部６の上流側より分岐されて加熱部６を経由しない送風が供給される分岐路４ｃを備えている。
【０１５７】
具体的には、本体部１ｂのハウジング３の内部に仕切板３ａを設けることで、加熱部６を経由する送風が供給される送付流路４と、加熱部６を経由しない送風が供給される分岐路４ｃとを形成している。
【０１５８】
なお、本体部１ｂのハウジング３の内部に加熱部６を囲うように内筒を設け、分岐路４ｃを形成するようにしてもよい。
【０１５９】
そして、ミスト生成部１０が、分岐路４ｃ内に配置されている。
【０１６０】
また、本実施形態においても、制御部８が、検知部１１により検知されたミストの酸性度（硝酸イオンの濃度）に応じてミスト生成部１０で生成される硝酸イオンを含んだミストの生成量を制御するようにしている。
【０１６１】
具体的には、上記第１から第３実施形態で説明したいずれかの制御方法によって、ミスト生成部１０で生成される硝酸イオンを含んだミストの生成量を制御している。
【０１６２】
ここで、本実施形態にかかるヘアドライヤ１Ｄが、上記第１実施形態の第２変形例と主に異なる点は、ヘアドライヤ１Ｄが、送風温度を切替える送風温度切替手段１３を有している点にある。送風温度切替手段１３は、把持部１ａの電源スイッチ７の上部に形成されており、導線を介して制御部８に接続されている。本実施形態では、加熱部６のオン・オフを切替えることで、送風温度を２段階に切替えることができるようになっている。
【０１６３】
さらに、ヘアドライヤ１Ｄは、送風温度切替手段１３が駆動されて送風温度が低下した際に、ミスト生成量が低下するように、ミスト生成部１０を制御する第２の制御部を有している。本実施形態においても、制御部８が、第２の制御部を兼ねている。なお、第２の制御部を制御部８とは別体に設けるようにしてもよい。この場合、送風温度切替手段１３は、導線を介して制御部８とは別体に設けた第２の制御部に接続されることとなる。
【０１６４】
次に、制御部８によるミスト生成部１０の制御方法の一例を、図１２のタイミングチャートに基づいて説明する。
【０１６５】
まず、プッシュ式の電源スイッチ７を操作して電源をＯＮにすると、図示せぬコンセントを介して、送風部５のモータ５２と加熱部６とミスト生成部１０と検知部１１に、電力（例えば、１２００Ｗの電力）が給電される。そして、送風部５のファン５１が回転することで、入口開口（吸入口）４ａから送風流路４内に空気が取り込まれ、出口開口（吐出口）４ｂから加熱部６で加熱された温風が吐出される。このとき、ミスト生成部１０で生成される硝酸イオンを含んだミストも出口開口（吐出口）４ｂから吐出される。なお、３０℃の環境下で距離を１５ｃｍ程度離して計測した場合、送風温度は約１２０℃となる。
【０１６６】
また、電源をＯＮにすると検知部１１にも電気が流れ、検知部１１が正に帯電する。そして、ミストに含まれる酸性成分（硝酸イオン）は負に帯電しているので、正に帯電した検知部１１に硝酸イオンが付着し、検知部１１の電荷量が変化する。そして、検知部１１の単位時間あたりの電荷量の変化から、ミストに含まれる硝酸イオンの量を検出する。例えば、タイマー８１を用いて、検知部１１の電荷量の変化を１０秒ごとに測定し、１０秒前の検知部１１の電荷量との差から硝酸イオンの量を求めるようにすることができる。
【０１６７】
また、ミスト生成部１０の制御部８による制御は、送風部５のモータ５２と加熱部６とミスト生成部１０と検知部１１に、電力が給電された数秒後から開始される。制御を開始するまでの時間は、１５秒程度が好ましい。
【０１６８】
すなわち、図１２のタイミングチャートに示すように、ヘアドライヤ１Ｄの電源スイッチ７を操作して電源をＯＮにした時点をＴ０秒とすると、（Ｔ０＋１５）秒後にミスト生成部１０の制御を開始するようにしている。なお、上記第１から第３実施形態で示したように、制御を開始するまでの時間を、１０秒程度とすることも可能である。
【０１６９】
そして、制御開始後、検知部１１は随時、好ましくは３秒に１回程度、硝酸イオン（酸性成分）の濃度の検出を行う。そして、硝酸イオンを含んだミストの酸性度（硝酸イオン濃度）が所定の量（閾値）ｘ０に達すると、制御部８は、硝酸イオンを含んだミストの硝酸イオン濃度が閾値ｘ０の所定の倍率ｙで一定に保たれるように、ミスト生成部１０で生成されるミストの量を制御する。
【０１７０】
本実施形態においても、ミスト生成部１０に流れる電流Ａを所定の値となるように制御することで、検知される酸性度（硝酸イオン濃度）を閾値ｘ０の所定の倍率ｙで一定に保つようにしている。
【０１７１】
なお、所定の量（閾値）ｘ０は、距離３ｃｍ離れたところから、酸性ミストを１０分間発生し続け、一定量の液体に溶解した量で示した場合に、９ｍｇ／Ｌ程度となる濃度であることが望ましい。具体的には、所定の量（閾値）ｘ０は、３０から４０ｍｇ／Ｌ程度、より好ましくは、３６ｍｇ／Ｌ程度とするのが望ましい。このとき、ミスト生成部１０に流れる電流Ａは、５から１５μＡ程度、より好ましくは、８から１０μＡ程度とするのが望ましい。そして、所定の倍率ｙは４分の３から２分の１、より好ましくは、３分の２程度とするのが望ましい。図１２では、所定の倍率ｙが４分の３のもの（ミスト生成部１０に流れる電流Ａが３／４Ａ０となるように制御するもの）を例示している。
【０１７２】
このように、ミスト生成部１０で生成されるミストの量を制御することで、ヘアドライヤ１Ｄを使用した後の毛髪の状態を、濃度が９ｍｇ／Ｌの酸性成分を含んだミストを、１０ｃｍ離した距離から１０秒間付与した毛髪の状態に近づけることが可能となる。
【０１７３】
そして、ヘアドライヤ１Ｄの使用途中で、送風温度切替手段１３を操作して送風温度を切替えると、加熱部６への給電が停止される（図１２のＴ１）。このように、加熱部６への給電が停止されると、３０℃の環境下で距離１５ｃｍ程度離して計測した場合、送風温度は約１２０℃から約３０℃に下がり、約３０℃の風が送出されることとなる。
【０１７４】
このとき、制御部８は、酸性ミストが加熱部６への給電が行われているときの１／２だけ生成されるようにミスト生成部１０で生成されるミストの量を制御する。すなわち、制御部８は、ミスト生成部１０に流れる電流Ａが３／８Ａ０となるように制御することとなる。このように、送風温度切替手段１３が駆動されて送風温度が低下した際に、第２の制御部としての制御部８がミスト生成量が低下するようにミスト生成部１０を制御するようにしている。
【０１７５】
そして、送風温度切替手段１３を再度操作して加熱部６への給電が行われるようにした場合には（図１２のＴ２）、約１２０℃の風が送出されるようになる。この場合には、制御部８による制御ももとの状態となる。すなわち、硝酸イオンを含んだミストの酸性度（硝酸イオン濃度）が所定の量（閾値）ｘ０に達した際に、制御部８が、硝酸イオンを含んだミストの硝酸イオン濃度が閾値ｘ０の所定の倍率ｙ（図１２では３／４）で一定に保たれるように（ミスト生成部１０に流れる電流Ａが３／４Ａ０となるように）、ミスト生成部１０で生成されるミストの量を制御するようになる。
【０１７６】
最後に、プッシュ式の電源スイッチ７を操作して電源をＯＦＦにする（図１２のＴ３）と、送風部５のモータ５２と加熱部６とミスト生成部１０への給電が停止される。
【０１７７】
以上の本実施形態によっても、上記第１から第３実施形態およびその変形例と同様の作用、効果を奏することができる。
【０１７８】
また、本実施形態では、送風温度切替手段１３が駆動されて送風温度が低下した際に、第２の制御部としての制御部８がミスト生成量が低下するようにミスト生成部１０を制御するようにしている。
【０１７９】
ところで、毛髪に約３０℃程度の冷風をあてるようにすると、冷風によってキューティクルが引き締まり、酸性成分が毛髪に入りにくくなってしまう。そのため、毛髪に約３０℃程度の冷風をあてている際に、約１２０℃程度の温風をあてているときと同量の硝酸イオン（酸性成分）を含んだミストを供給すると、毛髪にとって過剰な量の硝酸イオン（酸性成分）を含んだミストが供給されてしまう。
【０１８０】
しかしながら、本実施形態のように、送風温度が低下した際に、ミスト生成量が低下するように、ミスト生成部１０を制御すれば、過剰な量の硝酸イオン（酸性成分）を含んだミストが毛髪に吐出されてしまうのを抑制することができるようになる。その結果、送風温度の高低にかかわらず、髪質や肌質にあった量の硝酸イオン（酸性成分）を含んだミストを吐出することができるようになり、毛髪や皮膚を傷めてしまうのをより抑制することができる。
【０１８１】
なお、図１２では、通常時の制御部８によるミスト生成部１０の制御として、上記第１実施形態で示した制御を例示したが、通常時の制御部８によるミスト生成部１０の制御を、上記第２、第３実施形態で示した制御とすることも可能である。
【０１８２】
また、上記第１実施形態およびその変形例に示したヘアドライヤ１、１Ａに本実施形態の構成や制御を適用することも可能である。
【０１８３】
（第６実施形態）
本実施形態にかかるヘアドライヤ１Ｅは、基本的に上記第４実施形態とほぼ同様の構成をしている。すなわち、ヘアドライヤ１Ｅは、図１３に示すように、ハウジング３内に設けられて両側部に入口開口（吸入口）４ａと出口開口（吐出口）４ｂとを備えた送風流路４を備えている。そして、送風流路４の上流側に、入口開口（吸入口）４ａから空気を導入して出口開口（吐出口）４ｂから吐出させる送風部５が配置されており、送風部５の下流側に送風を加熱する加熱部６が設けられている。
【０１８４】
さらに、送風流路４内には、硝酸イオン（酸性成分）を含んだミストを生成するミスト生成部１０と、ミスト生成部１０で生成されたミストの酸性度（硝酸イオン濃度）を検知する検知部１１と、が設けられている。そして、把持部１ａのハウジング３の空洞部内に、ミスト生成部１０で生成されるミストの生成量を制御する制御部８が設けられている。
【０１８５】
さらに、送風流路４が、送風部５の下流側かつ加熱部６の上流側より分岐されて加熱部６を経由しない送風が供給される分岐路４ｃを備えている。
【０１８６】
具体的には、本体部１ｂのハウジング３の内部に仕切板３ａを設けることで、加熱部６を経由する送風が供給される送付流路４と、加熱部６を経由しない送風が供給される分岐路４ｃとを形成している。
【０１８７】
なお、本体部１ｂのハウジング３の内部に加熱部６を囲うように内筒を設け、分岐路４ｃを形成するようにしてもよい。
【０１８８】
そして、ミスト生成部１０が、分岐路４ｃ内に配置されている。
【０１８９】
また、本実施形態においても、制御部８が、検知部１１により検知されたミストの酸性度（硝酸イオンの濃度）に応じてミスト生成部１０で生成される硝酸イオンを含んだミストの生成量を制御するようにしている。
【０１９０】
具体的には、上記第１から第３実施形態で説明したいずれかの制御方法によって、ミスト生成部１０で生成される硝酸イオンを含んだミストの生成量を制御している。
【０１９１】
ここで、本実施形態にかかるヘアドライヤ１Ｅが、上記第４実施形態と主に異なる点は、ヘアドライヤ１Ｅが、送風量を切替える送風量切替手段１２だけでなく送風温度を切替える送風温度切替手段１３も有している点にある。送風量切替手段１２および送風温度切替手段１３は、把持部１ａの電源スイッチ７の上部に形成されており、導線を介して制御部８に接続されている。そして、送風量および送風温度をそれぞれ２段階に切替えることができるようになっている。
【０１９２】
さらに、ヘアドライヤ１Ｅは、送風量切替手段１２が駆動されて送風量が低下した際に、ミスト生成量が低下するように、ミスト生成部１０を制御する第２の制御部を有している。
【０１９３】
本実施形態では、制御部８が、第２の制御部を兼ねている。なお、第２の制御部を制御部８とは別体に設けるようにしてもよい。
【０１９４】
次に、制御部８によるミスト生成部１０の制御方法の一例を説明する。なお、消費電力の変化（送風量の変化）の方が、加熱部６のオン・オフによる送風温度の変化よりも、毛髪や皮膚に与える影響が大きいので、本実施形態では、図１０のタイミングチャートに基づく制御を行っている。具体的には、以下の通りである。
【０１９５】
まず、プッシュ式の電源スイッチ７を操作して電源をＯＮにすると、図示せぬコンセントを介して、送風部５のモータ５２と加熱部６とミスト生成部１０と検知部１１に、電力（例えば、１２００Ｗの電力）が給電される。そして、送風部５のファン５１が回転することで、入口開口（吸入口）４ａから送風流路４内に空気が取り込まれ、出口開口（吐出口）４ｂから加熱部６で加熱された温風が吐出される。このとき、ミスト生成部１０で生成される硝酸イオンを含んだミストも出口開口（吐出口）４ｂから吐出される。なお、１２００Ｗの電力が供給されている場合、１．３ｍ２／分の風が送出されることとなる。また、３０℃の環境下で距離を１５ｃｍ程度離して計測した場合、送風温度は約１２０℃となる。
【０１９６】
そして、電源をＯＮにすると検知部１１にも電気が流れ、検知部１１が正に帯電する。そして、ミストに含まれる酸性成分（硝酸イオン）は負に帯電しているので、正に帯電した検知部１１に硝酸イオンが付着し、検知部１１の電荷量が変化する。そして、検知部１１の単位時間あたりの電荷量の変化から、ミストに含まれる硝酸イオンの量を検出する。例えば、タイマー８１を用いて、検知部１１の電荷量の変化を１０秒ごとに測定し、１０秒前の検知部１１の電荷量との差から硝酸イオンの量を求めるようにすることができる。
【０１９７】
また、ミスト生成部１０の制御部８による制御は、送風部５のモータ５２と加熱部６とミスト生成部１０と検知部１１に、電力が給電された数秒後から開始される。制御を開始するまでの時間は、１５秒程度が好ましい。
【０１９８】
すなわち、図１０のタイミングチャートに示すように、ヘアドライヤ１Ｅの電源スイッチ７を操作して電源をＯＮにした時点をＴ０秒とすると、（Ｔ０＋１５）秒後にミスト生成部１０の制御を開始するようにしている。なお、上記第１から第３実施形態で示したように、制御を開始するまでの時間を、１０秒程度とすることも可能である。
【０１９９】
そして、制御開始後、検知部１１は随時、好ましくは３秒に１回程度、硝酸イオン（酸性成分）の濃度の検出を行う。そして、硝酸イオンを含んだミストの酸性度（硝酸イオン濃度）が所定の量（閾値）ｘ０に達すると、制御部８は、硝酸イオンを含んだミストの硝酸イオン濃度が閾値ｘ０の所定の倍率ｙで一定に保たれるように、ミスト生成部１０で生成されるミストの量を制御する。
【０２００】
本実施形態においても、ミスト生成部１０に流れる電流Ａを所定の値となるように制御することで、検知される酸性度（硝酸イオン濃度）を閾値ｘ０の所定の倍率ｙで一定に保つようにしている。
【０２０１】
なお、所定の量（閾値）ｘ０は、距離３ｃｍ離れたところから、酸性ミストを１０分間発生し続け、一定量の液体に溶解した量で示した場合に、９ｍｇ／Ｌ程度となる濃度であることが望ましい。具体的には、所定の量（閾値）ｘ０は、３０から４０ｍｇ／Ｌ程度、より好ましくは、３６ｍｇ／Ｌ程度とするのが望ましい。このとき、ミスト生成部１０に流れる電流Ａは、５から１５μＡ程度、より好ましくは、８から１０μＡ程度とするのが望ましい。そして、所定の倍率ｙは４分の３から２分の１、より好ましくは、３分の２程度とするのが望ましい。図１０では、所定の倍率ｙが４分の３のもの（ミスト生成部１０に流れる電流Ａが３／４Ａ０となるように制御するもの）を例示している。
【０２０２】
このように、ミスト生成部１０で生成されるミストの量を制御することで、ヘアドライヤ１Ｅを使用した後の毛髪の状態を、濃度が９ｍｇ／Ｌの酸性成分を含んだミストを、１０ｃｍ離した距離から１０秒間付与した毛髪の状態に近づけることが可能となる。
【０２０３】
そして、ヘアドライヤ１Ｅの使用途中で、送風量切替手段１２を操作して送風量を切替えるとともに送風温度切替手段１３を操作して送風温度を切替えると、６００Ｗの電力が供給されるとともに加熱部６への給電が停止され（図１０のＴ１）、０．７５ｍ２／分の風が約３０℃で送出されることとなる。
【０２０４】
このとき、制御部８は、酸性ミストが１２００Ｗのときの１／２だけ生成されるようにミスト生成部１０で生成されるミストの量を制御する。すなわち、制御部８は、ミスト生成部１０に流れる電流Ａが３／８Ａ０となるように制御することとなる。このように、送風量切替手段１２が駆動されて送風量が低下した際に、第２の制御部としての制御部８がミスト生成量が低下するようにミスト生成部１０を制御するようにしている。
【０２０５】
そして、送風量切替手段１２を再度操作して１２００Ｗの電力が供給されるようにするとともに、送風温度切替手段１３を再度操作して加熱部６への給電が行われるようにした場合には（図１０のＴ２）、１．３ｍ２／分の風が約１２０℃で送出されるようになる。この場合には、制御部８による制御ももとの状態となる。すなわち、硝酸イオンを含んだミストの酸性度（硝酸イオン濃度）が所定の量（閾値）ｘ０に達した際に、制御部８が、硝酸イオンを含んだミストの硝酸イオン濃度が閾値ｘ０の所定の倍率ｙ（図１０では３／４）で一定に保たれるように（ミスト生成部１０に流れる電流Ａが３／４Ａ０となるように）、ミスト生成部１０で生成されるミストの量を制御するようになる。
【０２０６】
最後に、プッシュ式の電源スイッチ７を操作して電源をＯＦＦにする（図１０のＴ３）と、送風部５のモータ５２と加熱部６とミスト生成部１０への給電が停止される。
【０２０７】
なお、上述したように、消費電力の変化（送風量の変化）の方が、加熱部６のオン・オフによる送風温度の変化よりも、毛髪や皮膚に与える影響が大きい。そのため、本実施形態では、１２００Ｗの電力が供給されて１．３ｍ２／分の風が送出されている状態で、加熱部６への給電を停止し、約３０℃の冷風が送出されるようにした場合であっても、１．３ｍ２／分の風が送出されているため、制御部８によって通常の制御（図１０におけるＴ０からＴ１、Ｔ２からＴ３までの制御）がなされるようにしている。
【０２０８】
また、加熱部６への給電が行われて約１２０℃の温風が送出されている状態で、６００Ｗの電力が供給されて０．７５ｍ２／分の風が送出されるようにした場合には、０．７５ｍ２／分の風が送出されているため、制御部８によって酸性ミストが１２００Ｗのときの１／２だけ生成される制御（図１０におけるＴ１からＴ２までの制御）がなされるようにしている。
【０２０９】
このように、本実施形態にかかる第２の制御部は、送風量切替手段１２が駆動されて送風量が低下した際に、ミスト生成量が低下するように、ミスト生成部１０を制御している。
【０２１０】
なお、送風量切替手段１２が駆動されて送風量が低下した際だけでなく、送風温度切替手段１３が駆動されて送風温度が低下した際にも、ミスト生成量が低下するように、第２の制御部がミスト生成部１０を制御するようにしてもよい。
【０２１１】
以上の本実施形態によっても、上記第４、第５実施形態と同様の作用、効果を奏することができる。
【０２１２】
なお、上記第１実施形態およびその変形例に示したヘアドライヤ１、１Ａに本実施形態の構成や制御を適用することも可能である。
【０２１３】
以上、本発明の好適な実施形態について説明したが、本発明は上記実施形態には限定されず、種々の変形が可能である。
【０２１４】
例えば、上記各実施形態では、ミスト生成部として静電霧化方式の装置を用いたものを例示したが、硝酸イオン（酸性成分）を含んだ液体をベンチュリ管から放出するようにしたベンチュリ方式の装置を用いるようにしてもよい。
【０２１５】
また、上記各実施形態では、ミストに含まれる硝酸イオンの濃度を検知して制御するものを例示したが、その他の成分を検知することで、霧化される酸性成分の量を予想して、制御するようにしてもよい。酸性成分を含むミストの生成方式が、静電霧化方式であり、電極がＰｔやＺｎなどであった場合、放出されるＰｔやＺｎなどの量は、酸性成分の量とほぼ比例関係にあるからである。
【０２１６】
また、上記第１から第３実施形態では、ミスト生成部の制御のみ行うものを例示したが、風量や熱量の制御を組み合わせるようにしてもよい。
【０２１７】
また、上記第４および第６実施形態では、送風量切替手段が送風量を２段階に切替えるものを例示したが、送風量切替手段が送風量を３段階以上に切替えることができるようにしてもよい。
【０２１８】
また、上記第５および第６実施形態では、送風温度切替手段が送風温度を２段階に切替えるものを例示したが、送風温度切替手段が送風温度を３段階以上に切替えることができるようにしてもよい。
【０２１９】
また、送風流路、送風部や加熱部、その他細部のスペック（形状、大きさ、レイアウト等）も適宜変更することが可能である。
【符号の説明】
【０２２０】
１  加熱送風装置
３  ハウジング
４  送風流路
４ａ  入口開口（吸入口）
４ｂ  出口開口（吐出口）
４ｃ  分岐路
５  送風部
６  加熱部
８  制御部（制御部および第２の制御部）
１０  ミスト生成部
１１  検知部
１２  送風量切替手段
１３  送風温度切替手段
【図１】
2013063238.tif 000003
【図２】
2013063238.tif 000004
【図３】
2013063238.tif 000005
【図４】
2013063238.tif 000006
【図５】
2013063238.tif 000007
【図６】
2013063238.tif 000008
【図７】
2013063238.tif 000009
【図８】
2013063238.tif 000010
【図９】
2013063238.tif 000011
【図１０】
2013063238.tif 000012
【図１１】
2013063238.tif 000013
【図１２】
2013063238.tif 000014
【図１３】
2013063238.tif 000015